(57)【要約】【課題】再生可能エネルギー及び蓄電池が導入された状態の電力系統において、１種類の蓄電池で該蓄電池のＳＯＣの限界を逸脱することなく長周期制御と短周期制御の両方を行うことを可能にする。【解決手段】充放電制御装置６は、低周波成分（ＬＦ１０１）と高周波成分（ＨＦ１０２）に分割された出力変動を受信するとともに、蓄電池のＳＯＣ情報１０３を受信する受信部２１と、蓄電池のＳＯＣ量により区分されたＳＯＣエリアに応じて、低周波成分（ＬＦ１０１）及び高周波成分（ＨＦ１０２）の充放電を行うか否かを判定する判定部２２と、判定した結果に関する指令を蓄電池に対して発する指令部２３と、を備える。【選択図】図３
2015116094.tif 000002
【特許請求の範囲】
【請求項１】
再生可能エネルギー及び蓄電池が導入された状態の電力系統において前記蓄電池の充放電制御を行う充放電制御装置であって、
低周波成分と高周波成分に分割された出力変動を受信するとともに、前記蓄電池のＳＯＣ情報を受信する受信部と、
前記蓄電池のＳＯＣ量により区分されたＳＯＣエリアに応じて、前記低周波成分及び前記高周波成分の充放電を行うか否かを判定する判定部と、
前記判定した結果に関する指令を前記蓄電池に対して発する指令部と、
を備えることを特徴とする充放電制御装置。
【請求項２】
前記判定部は、前記蓄電池の状態が第１のＳＯＣエリアである場合は前記高周波成分と前記低周波成分の両方の充電を行い、前記第１のＳＯＣエリアよりもＳＯＣ量が大きい第２のＳＯＣエリアである場合は前記高周波成分のみ充電を行い、前記第２のＳＯＣエリアよりもＳＯＣ量が大きい第３のＳＯＣエリアである場合は前記高周波成分と前記低周波成分の双方共充電を行わないように判定することを特徴とする請求項１に記載の充放電制御装置。
【請求項３】
前記判定部は、前記蓄電池のＳＯＣ量が第４のＳＯＣエリアに属する場合は前記高周波成分と前記低周波成分の両方の放電を行い、前記第４のＳＯＣエリアよりもＳＯＣ量が小さい第５のＳＯＣエリア属する場合は前記高周波成分のみ放電を行い、前記第５のＳＯＣエリアよりもＳＯＣ量が小さい第６のＳＯＣエリア属する場合は前記高周波成分と前記低周波成分の双方共放電を行わないように判定することを特徴とする請求項１又は２に記載の充放電制御装置。
【請求項４】
電力系統に、既設発電機、再生可能エネルギー発電を行う分散型電源、発電された電力の出力変動を低周波成分と高周波成分とに分割するＬＰＦ、充放電を行う周波数の選択を行う充放電制御装置、蓄電池の充電状態の情報を計測するＳＯＣ計測手段、及び蓄電池を備えた蓄電池制御システムにおいて、
前記充放電制御装置は、低周波成分と高周波成分に分割された出力変動を受信するとともに、前記蓄電池のＳＯＣ情報を受信する受信部と、前記蓄電池のＳＯＣ量により区分されたＳＯＣエリアに応じて、前記低周波成分及び前記高周波成分の充放電を行うか否かを判定する判定部と、前記判定した結果に関する指令を前記蓄電池に対して発する指令部と、を備えることを特徴とする蓄電池制御システム。
【請求項５】
前記蓄電池の充放電制御を行う際に前記ＳＯＣエリアを区画するしきい値を制御するＳＯＣしきい値制御装置であって、
気象情報から再生可能エネルギーの出力変動のある一定時間内での出力変動積算値を受信するとともに、前記蓄電池から蓄電池容量情報を受信する受信部と、
前記出力変動積算値と蓄電池容量の所定の値との大小を判定する判定部と、
前記判定結果に基づいてＳＯＣしきい値を設定または変更する設定部と、
を備えたＳＯＣしきい値制御装置をさらに具備することを特徴とする請求項４に記載の蓄電池制御システム。
【請求項６】
前記蓄電池のＳＯＣ量により区分されたＳＯＣエリアは５段階とし、前記出力変動積算値が前記蓄電池容量の４０％未満の場合、前記判定部は前記５段階のエリアのうちの中間のエリアの領域を広げるように判定し、前記出力変動積算値が前記蓄電池容量の４０％を超える場合、前記判定部は前記中間のエリアの領域を狭くするように判定することを特徴とする請求項５に記載の蓄電池制御システム。
【発明の詳細な説明】
【技術分野】
【０００１】
本発明の実施形態は、再生可能エネルギー及び蓄電池が導入された状態の電力系統において、１種類の蓄電池で該蓄電池のＳＯＣ（State Of Charge）の限界を逸脱することなく長周期制御と短周期制御の両方を行うことが可能な充放電制御装置及びその装置を用いた蓄電池制御システムに関する。
【背景技術】
【０００２】
近年、再生可能エネルギーを利用した電力系統システムの導入が進んでいる。しかし、現在の電力系統システムにおいては、再生可能エネルギーの変動により、負荷及び発電側のパワーインバランスが発生し、逆潮流などの問題が生じることがある。
【０００３】
従来の電力系統システムにおける需給制御では、再生可能エネルギーや需要電力の変動により需要と供給のバランスが取れない場合、火力発電や水力発電など大型発電機を用いることにより、長周期変動の需給バランスを取ることが行われてきた。しかし、大型発電機では、短周期変動に対応することが困難である。そこで、近年では、短周期変動にも対応できる蓄電池が導入されている。しかし、従来の蓄電池による制御では、短周期制御のみを行う際は１種類の蓄電池のみで対応できたが、長周期制御も行う際は、短周期制御用の蓄電池と長周期制御用の蓄電池の２種類を用意する必要があった。
【先行技術文献】
【特許文献】
【０００４】
【特許文献１】特開２０１１−２３４５６３号公報
【発明の概要】
【発明が解決しようとする課題】
【０００５】
本発明の実施形態は、前記事情に鑑みてなされたものであり、再生可能エネルギー及び蓄電池が導入された状態の電力系統において、１種類の蓄電池で該蓄電池のＳＯＣの限界を逸脱することなく長周期制御と短周期制御の両方を行うことが可能な充放電制御装置及びその装置を用いた蓄電池制御システムを提供することを目的とする。
【課題を解決するための手段】
【０００６】
上述の目的を達成するため、本発明の実施形態は、再生可能エネルギー及び蓄電池が導入された状態の電力系統において前記蓄電池の充放電制御を行う充放電制御装置であって、低周波成分と高周波成分に分割された出力変動を受信するとともに、前記蓄電池のＳＯＣ情報を受信する受信部と、前記蓄電池のＳＯＣ量により区分されたＳＯＣエリアに応じて、前記低周波成分及び前記高周波成分の充放電を行うか否かを判定する判定部と、前記判定した結果に関する指令を前記蓄電池に対して発する指令部と、を備えることを特徴とする。
【０００７】
また、前記のような実施形態の充放電制御装置を用いて構成した蓄電池制御システムも本発明の実施形態の１つである。
【図面の簡単な説明】
【０００８】
【図１】本発明の第１の実施形態に係る蓄電池制御システムの構成を示すブロック図である。
【図２】図１の蓄電池をＳＯＣの段階に応じて５つに区分した例を示す概略図である。
【図３】図１の充放電制御装置の詳細な構成を示すブロック図である。
【図４】図１の充放電制御装置において、蓄電池のＳＯＣの状態によって充放電を行う周波数成分の選択を行う手順を示すフローチャートである。
【図５】系統連系線の出力変動と蓄電池の充放電の波形図の一例であり、（ａ）は電力の出力変動、（ｂ）は（ａ）の高周波成分、（ｃ）は（ａ）の低周波成分、（ｄ）は蓄電池のＳＯＣの状態の推移、（ｅ）は蓄電池の充放電の状態、（ｆ）は充放電を行った後の電力の出力変動、である。
【図６】本発明の第２の実施形態に係る蓄電池制御システムの構成を示すブロック図である。
【図７】図６のＳＯＣしきい値制御装置の詳細な構成を示すブロック図である。
【図８】図６のＳＯＣしきい値制御装置において、気象情報入手手段から予測した既設発電機及び分散型電源の出力変動のある一定時間内での積算値から、適正な値にＳＯＣレベルのしきい値を変更する手順を示すフローチャートである。
【発明を実施するための形態】
【０００９】
以下、本発明の実施形態について、図面を参照して具体的に説明する。
【００１０】
［第１の実施形態］
（全体構成）
図１は、本発明の第１の実施形態に係る蓄電池制御システムの構成を示すブロック図である。
本蓄電池制御システム１０は、電力系統１、既設発電機２、再生可能エネルギー発電を行う分散型電源３、ＰＣＳ（Power Conditioner Subsystem）４、発電された電力の出力変動を低周波成分と高周波成分とに分割するＬＰＦ５、充放電を行う周波数の選択を行う充放電制御装置６、蓄電池の充電状態（ＳＯＣ情報）を計測するＳＯＣ計測手段７、蓄電池８及びＰＣＳ４からなる蓄電装置９、を備えている。
【００１１】
ここで、本明細書において、低周波成分とは、０〜３ｋＨｚ程度の範囲の周波数をいい、高周波成分とは、３０ｋＨｚを超える周波数をいう。以下、主要な構成要素についてさらに詳しく説明する。
【００１２】
（蓄電池８)
図２は、蓄電池８をＳＯＣの段階に応じて５つに区分した例を示すものである。ＳＯＣ１エリアはＳＯＣが０％〜ＬＬ２(Lower Limit 2)、ＳＯＣ２エリアはＳＯＣがＬＬ２〜ＬＬ１(Lower Limit  1)、ＳＯＣ３エリアはＳＯＣがＬＬ１〜ＵＬ１(Upper Limit 1)、ＳＯＣ４エリアはＳＯＣがＵＬ１〜ＵＬ２(Upper Limit 2)、ＳＯＣ５エリアはＳＯＣがＵＬ２〜１００％のエリアを示している。
【００１３】
（充放電制御装置６）
充放電制御装置６は、ＳＯＣ計測手段７より計測された蓄電池８のＳＯＣ情報１０３とＬＰＦ５により分割された周波数成分によって充電を行うか放電を行うかを判定する手段である。
【００１４】
図３に、充放電制御装置６の詳細な構成を示す。
充放電制御装置６は、ＬＰＦ５によって分割された出力変動の低周波成分（ＬＦ１０１）と高周波成分（ＨＦ１０２）を受信するとともに、ＳＯＣ計測手段７により計測された蓄電池のＳＯＣ情報１０３を受信する受信部２１と、蓄電池８の５つに区分されたＳＯＣエリアに応じて、低周波成分及び高周波成分の充放電を行うか否かを判定する判定部２２と、判定結果に関する指令を発する指令部２３とを備えている。
【００１５】
判定部２２は、具体的には、以下の如く充放電についての判定を行う。
まず、蓄電池８の充電状態が図２のＳＯＣ１エリアの場合、高周波成分と低周波成分の充電のみを行う判定をする。即ち、低周波成分及び高周波成分の放電は行わない。低周波成分及び高周波成分の放電を行うと、ＳＯＣが０％を下回る可能性があるからである。また、ＳＯＣ２の場合、高周波成分は充電・放電共に行い、低周波成分は充電のみを行う判定をする。低周波成分で充電のみを行うのは、低周波成分で放電を行うとＳＯＣが０％を下回る可能性があるからである。さらに、ＳＯＣ３エリアの場合、高周波・低周波共に充電と放電を行う判定をする。また、ＳＯＣ４エリアの場合、高周波成分は充電・放電共に行い、低周波成分は放電のみ行う判定をする。低周波成分で放電のみを行うのは、低周波成分で充電を行うとＳＯＣが１００％を上回る可能性があるからである。さらに、ＳＯＣ５エリアの場合、高周波成分と低周波成分の放電のみを行う判定をする。
【００１６】
蓄電池８を用いて出力変動の抑制を行う際には、蓄電池８がＳＯＣ限界を逸脱することなく制御を継続する必要があるが、ＳＯＣ３エリア以外で低周波成分の充放電をそのまま行うと、蓄電池８がＳＯＣ限界を逸脱し、制御の継続ができなくなる可能性がある。しかし、上記のように、ＳＯＣのレベルにより周波数成分の選択を行うことにより、蓄電池８がＳＯＣ限界を逸脱することなく制御を行うことが可能である。
【００１７】
(作用)
以下、ＬＰＦ５により分割した電力の出力変動の低周波成分（ＬＦ１０１）及び高周波成分（ＨＦ１０２）と、蓄電池８のＳＯＣ情報１０３に基づいて、充放電を行う周波数成分を決定する蓄電池制御方法について図面を参照して説明する。
【００１８】
まず、図１において、既設発電機２及び分散型電源３で発電された電力がＬＰＦ５により低周波成分（ＬＦ１０１）と高周波成分（ＨＦ１０２）に分割され、充放電制御装置６に送信される。一方、ＳＯＣ計測手段７により蓄電池８のＳＯＣの状態が測定され、充放電制御装置６に送信される。
【００１９】
充放電制御装置６は、図４に示すフローによって、充放電を行う周波数成分を判定する。まず、ステップＳ１において、充放電制御装置６の受信部２１は、ＬＰＦ５から既設発電機２及び分散型電源３で発電された電力の低周波成分（ＬＦ１０１）と高周波成分（ＨＦ１０２）を受信する。次に、ステップＳ２において、受信部２１は、ＳＯＣ計測手段７から蓄電池８のＳＯＣ情報１０３を受信する。
【００２０】
次に、ステップＳ３において、判定部２２は、蓄電池８の状態がＳＯＣ３エリアであるかどうか判定する。ＳＯＣ３エリアであれば（ステップＳ３でＹ）、ＬＦ１０１、ＨＦ１０２共に充放電を行うよう指令部２３を介して蓄電装置９に充放電指令１０４を送信する（ステップＳ４）。他方、ステップＳ３においてＳＯＣ３エリアではないと判定した場合（ステップＳ３でＮ）は、判定部２２はステップＳ５において蓄電池８の状態がＳＯＣ２エリアであるかどうか判定する。ＳＯＣ２エリアであれば（ステップＳ５でＹ）、ＨＦ１０２は充電・放電共に行い、ＬＦ１０１は充電のみを行うよう指令部２３を介して蓄電装置９に充放電指令１０４を送信する（ステップＳ６）。
【００２１】
他方、ステップＳ５においてＳＯＣ２エリアではないと判定した場合（ステップＳ５でＮ）は、判定部２２は、ステップＳ７において蓄電池８の状態がＳＯＣ４エリアであるかどうか判定する。ＳＯＣ４エリアであれば（ステップＳ７でＹ）、ＨＦ１０２は充電・放電共に行い、ＬＦ１０１は放電のみを行うよう指令部２３を介して蓄電装置９に充放電指令１０４を送信する（ステップＳ８）。他方、ステップＳ７においてＳＯＣ４エリアでないと判定した場合（ステップＳ７でＮ）は、判定部２２はステップＳ９において蓄電池８の状態がＳＯＣ１エリアであるかどうか判定する。ＳＯＣ１エリアであれば（ステップＳ９でＹ）、ＬＦ１０１、ＨＦ１０２共に充電のみを行うよう指令部２３を介して蓄電装置９に充放電指令１０４を送信する（ステップＳ１０）。他方、ステップＳ９において蓄電池８の状態がＳＯＣ１でないと判定した場合（ステップＳ９でＮ）は、判定部２２はＬＦ１０１、ＨＦ１０２共に放電のみを行うよう指令部２３を介して蓄電装置９に充放電指令１０４を送信する（ステップＳ１１）。以上のようにして、充放電制御装置６は充放電を行う周波数成分を判定する。
【００２２】
（具体例）
以下、具体例について、図５に従い説明する。図５は、本実施形態における系統連系線の出力変動と蓄電池の充放電の波形図の一例を示すものである。
図５（ａ）は、既設発電機２及び分散型電源３で発電された電力の出力変動を示す。（ａ）で示す出力変動は、ＬＰＦ５により（ｂ）のグラフに示す高周波成分（ＨＦ１０２）と（ｃ）のグラフに示す低周波成分（ＬＦ１０１）に分割される。この出力変動について蓄電池８を用いて長周期制御・短周期制御を行った際の蓄電池８のＳＯＣの状態の推移のグラフを（ｄ）に示す。ここでは、ＬＬ２＝２０％，ＬＬ１＝４０％，ＵＬ１＝６０％，ＵＬ２＝８０％とする。また、（ｅ）は、蓄電池８の充放電の状態を示す。ここでは、正の値が蓄電池８の充電量、負の値が蓄電池８の放電量を示している。（ｆ）は、（ａ）のグラフに示す出力変動が（ｅ）のグラフに示す蓄電池８の充放電により、出力変動が抑制されている様子を示している。（ｆ）のグラフから、蓄電池８の長周期制御・短周期制御により出力変動が抑制され、目標値に近づいているのがわかる。
【００２３】
また、図５のＩのエリアにおいて（ｄ）のグラフを見ると蓄電池８の容量がＳＯＣ３エリアとなっている。ＳＯＣ３エリアでは高周波・低周波成分共に充電と放電を行うため、（ｅ）のグラフのＩエリアにおける波形と（ａ）のグラフのＩエリアにおける波形が一致しており、（ｆ）のグラフでは出力変動と目標値との差がゼロとなっている。
【００２４】
次に、ＩＩのエリアにおいて（ｄ）のグラフを見ると蓄電池８の容量がＳＯＣ４エリアとなっている。ＳＯＣ４エリアでは高周波成分の充放電と低周波成分の放電を行う。ＩＩエリアでは低周波成分の充電の必要がないため、ここでは高周波成分のみが蓄電池に充放電される。このため（ｅ）のグラフは(ａ)のグラフとは一致しておらず、（ｆ）のグラフは目標値からずれているのがわかる。
【００２５】
さらに、ＩＩＩのエリアにおいて（ｄ）のグラフを見ると蓄電池８の容量がＳＯＣ５エリアとなっている。ＳＯＣ５エリアでは高周波・低周波成分共に放電のみを行うため、(ｅ)のグラフのＩＩＩエリアにおける波形を見ると、充電が行われていないのがわかる。このため（ｆ）のグラフは目標値からずれているのがわかる。
【００２６】
（効果）
本実施例の形態によれば、再生可能エネルギーが導入された電力系統において、系統連携線の出力変動をＬＰＦ５によって低周波成分（ＬＦ１０１）と高周波成分（ＨＦ１０２）の２種類に分け、また、ＳＯＣのレベルに応じて充放電を行う周波数帯を選択することにより、１つの蓄電池で蓄電池のＳＯＣ限界を逸脱することなく、長周期制御と短周期制御の両方を行うことが可能である。
【００２７】
［第２の実施形態］
（全体構成）
図６は、本発明の第２の実施形態に係る蓄電池制御システムの構成を示すブロック図である。
本蓄電池制御システム２０は、第１の実施形態の蓄電池制御システム１０の構成に加えて、気象情報入手手段１１、予測手段１２、出力変動積算値測定装置１３、ＳＯＣしきい値制御装置１４をさらに備えている。
【００２８】
また、本実施形態では、蓄電池８のＳＯＣレベルのしきい値（ＬＬ１，ＬＬ２,ＵＬ１，ＵＬ２）は可変とされている。これにより、気象情報入手手段１１から再生可能エネルギーの出力変動を予測し、その出力変動によってしきい値を変更できるものとされている。
【００２９】
例えば、天候が安定している場合、再生可能エネルギーの出力変動は小さいと予測される。この際、仮にこの出力の高周波成分及び低周波成分に対して、充電や放電を行ったとしても蓄電池８がＳＯＣ限界を逸脱する可能性は低いと考えられる。逆に、天候が不安定で、再生可能エネルギーの出力変動が大きいと予測される場合、この出力の低周波成分に対して、充電や放電を行ってしまうと、蓄電池８がＳＯＣ限界を逸脱する可能性が高くなると考えられる。
【００３０】
本実施形態で追加されている予測手段１２は、分散型電源３の出力と気象情報入手手段１１の情報から出力変動を予測する手段である。また、出力変動積算値測定装置１３は、出力変動のある一定時間内での積算値を測定する手段である。さらに、ＳＯＣしきい値制御装置１４は、予測した出力変動を基に、蓄電装置９に対してＳＯＣしきい値指令１０５を発令する手段である。ＳＯＣしきい値制御装置１４は、具体的には、ある一定時間内での出力変動の積算値が小さく、蓄電池８がＳＯＣ限界を逸脱する可能性が低いと判断した場合はＳＯＣ３エリアが広くなるようＬＬ１，ＬＬ２,ＵＬ１，ＵＬ２の値を調整する指令を発する。他方、出力変動の積算値が大きく、蓄電池８がＳＯＣ限界を逸脱する可能性が高いと判断した場合は、ＳＯＣ３エリアが狭くなるようＬＬ１，ＬＬ２,ＵＬ１，ＵＬ２の値を調整する指令を発する。
【００３１】
（ＳＯＣしきい値制御装置１４）
図７に、ＳＯＣしきい値制御装置１４の詳細な構成を示す。
ＳＯＣしきい値制御装置１４は、出力変動積算値測定装置１３で測定された一定時間内での出力変動積算値を受信するとともに、蓄電装置９から蓄電池容量情報１０６を受信する受信部３１と、前記出力変動積算値と蓄電池容量の所定の値との大小を判定する判定部３２と、前記判定結果に基づいてＳＯＣしきい値を設定する設定部３３とを備えている。
【００３２】
ここで、判定部３２において、ある一定時間内での出力変動積算値の大小を判定する基準は、その出力変動の積算値が蓄電池容量の４０％を超えるかどうかとする。つまり、出力変動の積算値が蓄電池容量の４０％未満の場合、設定部３３は、ＳＯＣ３エリアが広くなるようにし、蓄電池容量の４０％より大きい場合はＳＯＣ３エリアが狭くなるように設定する。これは、後述のＳＯＣしきい値の初期設定では例として４０％≦ＳＯＣ３≦６０％と設定しており、出力変動の積算値が蓄電池容量の４０％より大きい出力を充放電してしまうと、ＳＯＣ次第では、蓄電池８のＳＯＣ限界を逸脱してしまう可能性があるからである。このため、出力変動の積算値が４０％より大きい場合、設定部３３は、ＳＯＣ３エリアを狭くすることにより、蓄電池８のＳＯＣ限界を逸脱しないように設定する。逆に積算値が蓄電池容量の４０％未満の場合、ＳＯＣ３エリアが上述の初期設定の値でも、蓄電池８のＳＯＣ限界を逸脱することはない。このため、設定部３３は、ＳＯＣ３エリアを広くすることにより、蓄電池８を無駄なく使用することができるようになる。
【００３３】
上記のように、蓄電池８がＳＯＣ限界を逸脱する可能性が低い場合は、ＳＯＣ３エリアを広げることで、より充電できる容量を増やすことができ、蓄電池８を無駄なく使用することが可能となる。また、蓄電池８がＳＯＣ限界を逸脱する可能性が高い場合は、ＳＯＣ３エリアを狭くすることにより、高周波成分だけを充電し、低周波成分は充電しないよう制御することが可能である。
【００３４】
(作用)
以下、本実施形態によるＳＯＣレベルのしきい値設定方法について図面を参照して説明する。
【００３５】
ＳＯＣしきい値制御装置１４は、図８に示すフローによって、蓄電池８のＳＯＣレベルのしきい値を設定する。まず、ステップＳ２１において、ＳＯＣしきい値制御装置１４の設定部３３は、蓄電池８のＳＯＣレベルのしきい値を、例えばＬＬ２＝２０％，ＬＬ１＝４０％，ＵＬ１＝６０％，ＵＬ２＝８０％と均等に設定する。次に、ステップＳ２２において、出力変動積算値測定装置１３は、予測手段１２から予測される再生可能エネルギーの出力変動を受信する。さらに、ステップＳ２３において、出力変動積算値測定装置１３は、ステップＳ２２で受信した出力変動のうち、ある一定時間での積算値を測定する。
【００３６】
次に、ステップＳ２４において、ＳＯＣしきい値制御装置１４の判定部３２は、受信部３１により受信した出力変動の積算値と蓄電装置９から送信される蓄電池容量情報１０６を比較し、積算値が蓄電池容量の４０％未満であるかどうか判定する。４０％未満であると判定した場合（ステップＳ２４でＹ）、設定部３３は、ＳＯＣ３エリアが広くなるよう、０％＜ＬＬ２＜２０％＜ＬＬ１＜４０％、６０％＜ＵＬ１＜８０％＜ＵＬ２＜１００％に設定し、この設定値についてのＳＯＣしきい値指令１０５を送信する（ステップＳ２５）。他方、ステップＳ２４において、出力変動の積算値が蓄電池容量の４０％未満でないと判定した場合（ステップＳ２４でＮ）、ステップＳ２６において、判定部３２は、受信した出力変動の積算値が蓄電池容量の４０％より大きいかどうか判定する。４０％より大きいと判定した場合（ステップＳ２６でＹ）、設定部３３は、ＳＯＣ３エリアが狭くなるよう、２０％＜ＬＬ２＜４０％＜ＬＬ１＜ＵＬ１＜６０％＜ＵＬ２＜８０％に設定し、この設定値についてのＳＯＣしきい値指令１０５を送信する（ステップＳ２７）。
【００３７】
他方、ステップＳ２６において、出力変動の積算値が蓄電池容量の４０％より大きくないと判定した場合、即ち、蓄電池容量が４０％の場合（ステップＳ２６でＮ）、設定部３３は、しきい値の値を変更しないよう、ＳＯＣしきい値指令１０５を送信する（ステップＳ２８）。本フロー終了後、ステップＳ２３で設定したある一定時間が経過時に、再度ステップＳ２１に戻り本フローを開始する。以上のようにして、ＳＯＣしきい値制御装置１４は蓄電池８のＳＯＣレベルのしきい値を決定し、発令する。
【００３８】
（効果）
本実施形態によれば、第１の実施形態の効果に加えて、分散型電源３で発電された電力及び気象情報入手手段１１の情報を用いて予測手段１２にて出力変動を予測し、その出力変動のある一定時間内における積算値によって、ＳＯＣレベルのしきい値を適正な値に変更することにより、長周期制御と短周期制御の両方を行うことができる蓄電池のＳＯＣの範囲を適切化することが可能である。
【００３９】
[他の実施形態]
（１）第１の実施形態において、蓄電池８のＳＯＣエリアをＳＯＣ１エリア〜ＳＯＣ５エリアの５段階に設定したが（図２参照）、５段階より細分化した段階に設定することもできる。
【００４０】
（２）第２の実施形態において、ＳＯＣエリアの判定の順番をＳＯＣ３エリア→ＳＯＣ２エリア→ＳＯＣ４エリア→ＳＯＣ１エリア→ＳＯＣ５エリアの順としたが、この順番を変えることもできる。例えば、ＳＯＣ３エリア→ＳＯＣ４エリア→ＳＯＣ２エリア→ＳＯＣ５エリア→ＳＯＣ１エリアの順としたり、ＳＯＣ１エリア→ＳＯＣ２エリア→ＳＯＣ３エリア→ＳＯＣ４エリア→ＳＯＣ５エリアの昇順やＳＯＣ５エリア→ＳＯＣ４エリア→ＳＯＣ３エリア→ＳＯＣ２エリア→ＳＯＣ１エリアの降順としたりすることもできる。
【００４１】
（３）以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４２】
１…電力系統
２…既設発電機
３…分散型電源
４…ＰＣＳ
５…ＬＰＦ（Low Pass Filter）
６…充放電制御装置
７…ＳＯＣ計測手段
８…蓄電池
９…蓄電装置
１０…蓄電池制御システム
１１…気象情報入手手段
１２…予測手段
１３…出力変動積算値測定装置
１４…ＳＯＣしきい値制御装置
２０…蓄電池制御システム
２１…受信部
２２…判定部
２３…指令部
３１…受信部
３２…判定部
３３…設定部
１０１…ＬＦ（低周波成分）
１０２…ＨＦ（高周波成分）
１０３…ＳＯＣ情報
１０４…充放電指令
１０５…ＳＯＣしきい値指令
１０６…蓄電池容量情報
【図１】
2015116094.tif 000003
【図３】
2015116094.tif 000004
【図４】
2015116094.tif 000005
【図５】
2015116094.tif 000006
【図６】
2015116094.tif 000007
【図７】
2015116094.tif 000008
【図８】
2015116094.tif 000009
【図２】
2015116094.tif 000010